(57)【要約】【課題】長期間にわたって芳香を発生させることができるようにする。【解決手段】ほぼ筒状をなし基端部に開口部２６を有し先端部に閉塞部１４を有する外側容器１０と、外側容器１０の内側であって閉塞部１４の近傍に形成された含液材配設部１２と、閉塞部１４に形成された小孔部１５（芳香流出孔部）と、開口部２６を開閉可能に設けられた蓋部２８と、ほぼ筒状のジャバラ部５１を有し基端部に底部５４を有し芳香発生液が収容される内側容器５０と、内側容器５０の先端部に形成され外側容器１０の含液材配設部１２の近傍に対して着脱可能に連結されるとともに内側容器５０の内部と含液材配設部１２とを連通状態とする連結部６１とを有する。【選択図】    図４
2004343478.tif 000002
【特許請求の範囲】
【請求項１】
携帯電話機に接続されて使用される装置であって、
ほぼ筒状をなし基端部に開口部を有し先端部に閉塞部を有する外側容器と、
前記外側容器の内側であって前記閉塞部の近傍に形成され、芳香発生液が含まれる含液材が配設される含液材配設部と、
前記外側容器のうちの前記含液材配設部の近傍に形成された芳香流出孔部と、
ほぼ筒状をなし弾性的に圧縮可能なジャバラ部を有し、基端部に底部を有し、芳香発生液が収容される内側容器と、
前記内側容器の先端部に形成され、前記外側容器の前記含液材配設部の近傍に対して連結されるとともに、当該内側容器の内部と前記含液材配設部とを連通状態とする連結部と
を有する、携帯電話機用の芳香発生装置。
【請求項２】
請求項１に記載の携帯電話機用の芳香発生装置であって、
前記連結部は、前記外側容器の前記含液材配設部の近傍に対して着脱可能に連結されるものである、
芳香発生装置。
【請求項３】
請求項１又は請求項２に記載の携帯電話機用の芳香発生装置であって、
前記内側容器が前記連結部において前記外側容器に対して連結された状態であって、前記ジャバラ部が自然状態にある状態において、前記ジャバラ部の底部が前記外側容器の基端部よりも外側に突出している、
携帯電話機用の芳香発生装置。
【請求項４】
請求項１〜請求項３のいずれかに記載の携帯電話機用の芳香発生装置であって、
前記外側容器には、当該外側容器の基端部において開口する切欠部が形成されている、
携帯電話機用の芳香発生装置。
【請求項５】
請求項１〜請求項４のいずれかに記載の携帯電話機用の芳香発生装置であって、
前記外側容器には、前記ジャバラ部を圧縮することなく当該外側容器の前記開口部を塞ぐことができる蓋部が開閉可能に設けられている、
携帯電話機用の芳香発生装置。
【請求項６】
請求項２〜請求項５のいずれかに記載の携帯電話機用の芳香発生装置であって、
前記内側容器には、内側容器の連結部に対して着脱可能に連結され得る吸入用管材が伴っている、
携帯電話機用の芳香発生装置。
【請求項７】
請求項１〜請求項６のいずれかに記載の携帯電話機用の芳香発生装置であって、
前記外側容器の前記芳香流出孔部において、携帯電話機に対して連結されるものである、
携帯電話機用の芳香発生装置。
【発明の詳細な説明】
【０００１】
【発明の属する技術分野】
本発明は、携帯電話機との組み合わせで使用される芳香発生装置に関するものである。
【０００２】
【従来の技術】
近年、携帯電話が広く普及している。
そして、携帯電話機は、遠隔的に会話をするための機能のみでなく、種々の機能を有している。
【０００３】
【発明が解決しようとする課題】
ところで、携帯電話機の有する種々の機能は、通信及び情報処理等に関するものである。
このため、携帯電話機の付加価値をさらに高めることが模索されていた。
【０００４】
そして、携帯電話機に芳香を付すことも携帯電話機の付加価値を高める手段の１つとして考えられた。
しかしながら、携帯電話機自体に香水を付着させても、徐々にその芳香は減衰していき、長期間にわたって芳香を発するようにさせることはできなかった。
【０００５】
そこで、本発明は、携帯電話機に関連して長期間にわたって芳香を発生させることができる装置を提供することを課題とする。
【０００６】
【課題を解決するための手段】
上記の課題を解決するために、請求項１に係る発明は、携帯電話機に接続されて使用される装置であって、ほぼ筒状をなし基端部に開口部を有し先端部に閉塞部を有する外側容器と、前記外側容器の内側であって前記閉塞部の近傍に形成され、芳香発生液が含まれる含液材が配設される含液材配設部と、前記外側容器のうちの前記含液材配設部の近傍に形成された芳香流出孔部と、ほぼ筒状をなし弾性的に圧縮可能なジャバラ部を有し、基端部に底部を有し、芳香発生液が収容される内側容器と、前記内側容器の先端部に形成され、前記外側容器の前記含液材配設部の近傍に対して連結されるとともに、当該内側容器の内部と前記含液材配設部とを連通状態とする連結部とを有する、携帯電話機用の芳香発生装置である。
【０００７】
この携帯電話機用の芳香発生装置では、内側容器が、連結部において、外側容器の含液材配設部の近傍に対して連結される。そして、内側容器のジャバラ部が弾性的に圧縮状態とされることによって、内側容器内の芳香発生液が連結部を通して、含液材配設部に配設された含液材に対して供給され、含液材に芳香発生液が含まれる。
そして、含液材に含まれた芳香発生液が揮発して、その芳香が、芳香流出孔部から流出する。
このようにして、この芳香発生装置では、携帯電話機に関連して、芳香が発生する。
【０００８】
そして、含液材に含まれた芳香発生液がすべて揮発した際には（又はその前でもよい）、再度ジャバラ部が弾性的に圧縮状態とされることによって、再度、前述のように含液材に芳香発生液が含まれて、芳香が発生するようになる。
このようにして、この芳香発生装置では、長期間にわたって芳香を発生させることができる。
【０００９】
なお、「前記外側容器のうちの前記含液材配設部の近傍に形成された芳香流出孔部」の一態様として、「前記外側容器のうちの前記閉塞部及び／又はその近傍に形成された芳香流出孔部」がある。
【００１０】
請求項２に係る発明は、請求項１に係る発明の携帯電話機用の芳香発生装置であって、前記連結部は、前記外側容器の前記含液材配設部の近傍に対して着脱可能に連結されるものである、芳香発生装置である。
【００１１】
この発明の携帯電話機用の芳香発生装置では、請求項１に係る発明の携帯電話機用の芳香発生装置の作用効果に加えて、次の作用効果が得られる。
すなわち、この携帯電話機用の芳香発生装置では、内側容器が、連結部において、外側容器の含液材配設部の近傍に対して着脱可能に連結される。
このため、内側容器内の芳香発生液がすべて使用された際には（又はその前でもよい）、内側容器が外側容器から取り外されて、内側容器内に芳香発生液が収容され、再度外側容器に対して取り付けられることによって、再度使用可能となる。
これが繰り返されることによって、この芳香発生装置では、半永久的に芳香を発生させることができる。
【００１２】
請求項３に係る発明は、請求項１又は請求項２に係る発明の携帯電話機用の芳香発生装置であって、前記内側容器が前記連結部において前記外側容器に対して連結された状態であって、前記ジャバラ部が自然状態にある状態において、前記ジャバラ部の底部が前記外側容器の基端部よりも外側に突出している、携帯電話機用の芳香発生装置である。
【００１３】
この発明の携帯電話機用の芳香発生装置では、請求項１又は請求項２に係る発明の携帯電話機用の芳香発生装置の作用効果に加えて、次の作用効果が得られる。
すなわち、自然状態にあるジャバラ部の底部が外側容器の基端部よりも外側に突出しているため、操作者は、ジャバラ部を圧縮させるように当該ジャバラ部の底部を容易に押圧することができる。このため、含液材に芳香発生液が含まれるようにすることが、容易に行われ得る。
【００１４】
また、請求項２の従属項に係る発明の場合は、操作者は、外側容器の基端部よりも外側に突出しているジャバラ部の底部及びその近傍を把持することによって、外側容器に対して内側容器を容易に着脱することができる。
【００１５】
請求項４に係る発明は、請求項１〜請求項３のいずれかに係る発明の携帯電話機用の芳香発生装置であって、前記外側容器には、当該外側容器の基端部において開口する切欠部が形成されている、携帯電話機用の芳香発生装置である。
【００１６】
この発明の携帯電話機用の芳香発生装置では、請求項１〜請求項３のいずれかに係る発明の携帯電話機用の芳香発生装置の作用効果に加えて、次の作用効果が得られる。
すなわち、外側容器の基端部において開口する切欠部が当該外側容器に形成されているため、操作者は、その切欠部に指の一部が入るようにして、ジャバラ部を圧縮させるように当該ジャバラ部の底部を容易に押圧することができる。このため、含液材に芳香発生液が含まれるようにすることが、容易に行われ得る。
【００１７】
請求項５に係る発明は、請求項１〜請求項４のいずれかに係る発明の携帯電話機用の芳香発生装置であって、前記外側容器には、前記ジャバラ部を圧縮することなく当該外側容器の前記開口部を塞ぐことができる蓋部が開閉可能に設けられている、携帯電話機用の芳香発生装置である。
【００１８】
この発明の携帯電話機用の芳香発生装置では、請求項１〜請求項４のいずれかに係る発明の携帯電話機用の芳香発生装置の作用効果に加えて、次の作用効果が得られる。
すなわち、外側容器には当該外側容器の開口部を開閉可能に蓋部が設けられているため、通常時（含液材に芳香発生液が含まれるように操作する時以外）においては、外側容器の開口部が蓋部によって閉状態とされることによって、ジャバラ部が圧縮されることなく、ジャバラ部の底部は蓋部によって遮蔽される。
このため、携帯電話機とともにこの芳香発生装置がカバン等に収容された際にも、不用意にジャバラ部の底部が押圧されることがなく、必要以上に芳香発生液が連結部から溢れ出ることが防止される。
【００１９】
請求項６に係る発明は、請求項２〜請求項５のいずれかに係る発明の携帯電話機用の芳香発生装置であって、前記内側容器には、内側容器の連結部に対して着脱可能に連結され得る吸入用管材が伴っている、携帯電話機用の芳香発生装置である。
【００２０】
この発明の携帯電話機用の芳香発生装置では、請求項１〜請求項５のいずれかに係る発明の携帯電話機用の芳香発生装置の作用効果に加えて、次の作用効果が得られる。
すなわち、外側容器から内側容器が分離された状態で、内側容器の連結部に対して吸入用管材が連結されることによって、内側容器内に芳香発生液を容易に収容（充填）させることができる。すなわち、ジャバラ部を圧縮状態として、吸入用管材の先端部を芳香発生液収容容器内に入れ、その状態でジャバラ部を自然状態に戻すことによって、芳香発生液収容容器内の芳香発生液が内側容器内に流入する。こうして、芳香発生液収容容器内の芳香発生液が内側容器内に容易に収容（充填）され得る。
【００２１】
請求項７に係る発明は、請求項１〜請求項６のいずれかに係る発明の携帯電話機用の芳香発生装置であって、前記外側容器の前記芳香流出孔部において、携帯電話機に対して連結されるものである、携帯電話機用の芳香発生装置である。
【００２２】
この発明の携帯電話機用の芳香発生装置では、請求項１〜請求項６のいずれかに係る発明の携帯電話機用の芳香発生装置の作用効果に加えて、次の作用効果が得られる。
すなわち、この発明の携帯電話機用の芳香発生装置では、芳香を流出させるために必要な芳香流出孔部において携帯電話機に対して連結されるため、携帯電話機に対して連結するための孔部を別途設ける必要が回避され、その分、容易に製造され得る。
【００２３】
なお、「携帯電話機に対して連結される」には、携帯電話機に対して直接的に連結される場合に限らず、携帯電話機に対して間接的に連結される場合も含まれる。例えば、携帯電話機に連結されたストラップ（ひも材）に対して連結される場合等である。
【００２４】
【発明の実施の形態】
次に、本発明の一実施形態を図面に基づいて説明する。
図２〜図５に示すように、この携帯電話機用の芳香発生装置は、外側容器１０，内側容器５０，吸入用管材７０（図５）等を有している。
【００２５】
図２〜図４に示すように、外側容器１０は、小径部１１と、大径部２１と、テーパ部３１を有しており、合成樹脂によって一体的に形成されている。
小径部１１は、外側容器１０のうちの先端部の側に形成され、小径の有蓋円筒状に形成されている。大径部２１は外側容器１０の基端部の側に形成され、大径のほぼ円筒状に形成されている。テーパ部３１は、小径部１１と大径部２１との間において両者をつなぐように形成されている。
【００２６】
図４に示すように、小径部１１の先端部（外側容器１０の先端部）には閉塞部１４が形成され、閉塞部１４の中央には小孔部１５（本発明の芳香流出孔部に該当する）が形成されている。
小径部１１の内部のうちの先端部の側の部分（閉塞部１４の側の部分）は、含液材配設部１２とされている。
すなわち、小孔部１５は、外側容器１０のうちの含液材配設部１２の近傍に形成されている。
小径部１１のうちの大径部２１の側の部分の内壁面には、めねじ１３が形成されている。
【００２７】
図２〜図４に示すように、大径部２１（その側壁部）には切欠部２４が形成されている。切欠部２４は、大径部２１の基端部において開口している。
大径部２１の基端部（外側容器１０の基端部）は開口している（すなわち、開口部２６が形成されている）。
そして、開口部２６に対応して、蓋部２８が大径部２１に連結されている。蓋部２８は、１つの連結部２９において大径部２１に対して連結されており、連結部２９が変形することによって、蓋部２８は、開口部２６を塞ぐ閉状態（図１参照）と、開口部２６を塞がない開状態（図２〜図４）との間を変位可能である。
【００２８】
図４等に示すように、小径部１１（その小孔部１５）には、連結材４０が取り付けられている。
連結材４０は、柔軟性を有する合成樹脂によってひも状に形成されている。連結材４０の基端部には、抜け止め部４２が形成されている。
図１に示すように、連結材４０の先端部には連結用金具４５が接続されている。そして、連結用金具４５によって、携帯電話機１００又はそのストラップ１０２等に連結される。
【００２９】
図４に示すように、小径部１１のうちの含液材配設部１２には、含液材１６が配設される。含液材１６とは液体を含む材質のものであり、例えば、脱脂綿やスポンジ等である。
【００３０】
図２〜図４に示すように、内側容器５０は、ジャバラ部５１と連結部６１を有し、柔軟性を有する合成樹脂によって一体的に形成されている。内側容器５０の内部には、芳香発生液（香水等）が収容される。
【００３１】
図４に示すように、連結部６１は、外側容器１０の小径部１１（そのうちのめねじ１３が形成されている部分）に対応しており、ほぼ円筒状をしている。すなわち、連結部６１には、流路部６２が形成されている。連結部６１の外壁面には、小径部１１のめねじ１３に対応しておねじ６３が形成されている。
【００３２】
図４に示すように、内側容器５０は、連結部６１（おねじ６３）が外側容器１０の小径部１１（めねじ１３）に対して螺合されることによって、外側容器１０と連結される。
内側容器５０の連結部６１の先端部と含液材１６との間にはパッキン１８が介装される。パッキン１８は、ゴム等によって形成され、その中央部には小孔部１９が形成されている。
【００３３】
内側容器５０と外側容器１０とが連結された状態で、内側容器５０の内部と含液材配設部１２（含液材１６）とは、連結部６１の流路部６２，パッキン１８の小孔部１９を通して、連通状態となる。
【００３４】
図２〜図４に示すように、ジャバラ部５１は、外側容器１０の大径部２１及びテーパ部３１に対応しており、有底のほぼ円筒状をしている。ジャバラ部５１は、弾性的に圧縮され得るものであり、自然状態（図２〜図４）と圧縮状態（図６参照）との間を変位可能である。
【００３５】
図３及び図４に示すように、ジャバラ部５１は、底部５４を有している。ジャバラ部５１のうちの底部５４の近傍の部分には、着脱操作部５３が形成されている。着脱操作部５３の外側面には、微小の突条（符号省略）が形成されており、外側容器１０に対する内側容器５０の連結及び分離の際における内側容器５０の回転操作が行われる。
【００３６】
そして、図４に示すように、内側容器５０の連結部６１が外側容器１０の小径部１１に対して連結され、ジャバラ部５１が自然状態にある状態で、内側容器５０の底部５４は外側容器１０の開口部２６よりも外側に突出して、着脱操作部５３が外側容器１０の外側に位置する。その状態で（すなわち、ジャバラ部５１が非圧縮状態のままで）、蓋部２８は、開口部２６を塞ぐ閉状態となり得る。そのように蓋部２８の深さが設定されている。
一方、蓋部２８が開状態とされ、ジャバラ部５１が圧縮されることによって、底部５４は外側容器１０の開口部２６よりも内側に位置する（図８参照）。
【００３７】
図５に示すように、吸入用管材７０は、細長い管状をなしており、その基端部には連結部７２が形成されている。連結部７２（その内壁面）には、内側容器５０の連結部６１のおねじ６３（図２等参照）に対応して、めねじ７３が形成されている。連結部７２の内側の底部（吸入用管材７０の先端部の側の部分）にはパッキン７４が配設されている。
そして、吸入用管材７０の連結部７２（めねじ７３）は、内側容器５０（図２等参照）の連結部６１（おねじ６３）に対して螺合されることによって、連結部６１に対して連結され得る。
【００３８】
次に、この芳香発生装置の使用方法及びその作用効果について説明する。
図１に示すように、この芳香発生装置は、連結材４０によって携帯電話機１００又はそのストラップ１０２に対して連結されて使用される。
【００３９】
まず、図２及び図３に示すように、外側容器１０と内側容器５０とを分離させ、図６に示すように、内側容器５０の連結部６１（おねじ６３）（図２参照）に対して、吸入用管材７０（めねじ７３）（図５参照）を連結させる。
【００４０】
その状態で、図６に示すように、内側容器５０の内部に芳香発生液（香水等）を充填する。すなわち、ジャバラ部５１を圧縮状態（ほぼ最大限の圧縮状態）として、吸入用管材７０の先端部を芳香発生液収容容器１２０（香水瓶等）に入れ、その状態でジャバラ部５１を自然状態に戻す。これによって、芳香発生液収容容器１２０内の芳香発生液は、吸入用管材７０を通って内側容器５０（ジャバラ部５１）の内部に流入し、内側容器５０内に芳香発生液が充填される。
その後に、吸入用管材７０を内側容器５０から分離させる。
【００４１】
次に、図７に示すように、内側容器５０を外側容器１０に対して連結させる。すなわち、外側容器１０の蓋部２８を開状態とさせ、外側容器１０の開口部２６から内側容器５０を外側容器１０の内部に入れて、着脱操作部５３（外側容器１０の外側に位置する）を回転操作することによって、図３及び図７に示すように、内側容器５０の連結部６１（おねじ６３）を外側容器１０の小径部１１（めねじ１３）に対して連結させる。
その状態で、前述したように、内側容器５０のジャバラ部５１の底部５４は、外側容器１０の基端部よりも若干外側に突出している。
【００４２】
次に、図８に示すように、この芳香発生装置を下向きにした状態（外側容器１０の小径部１１が下方に位置し、内側容器５０（ジャバラ部５１）の底部５４が上方に位置する状態）で、ジャバラ部５１の底部５４を押圧する。こうして、内側容器５０（ジャバラ部５１）の底部５４が外側容器１０の開口部２６よりも内側に位置するようにジャバラ部５１を若干圧縮状態とする。
【００４３】
これによって、図４に示すように、内側容器５０（ジャバラ部５１）内の芳香発生液が連結部６１の流路部６２の先端部から溢れ出て、その芳香発生液は、パッキン１８の小孔部１９を通って、含液材１６に到達する。こうして、含液材１６に芳香発生液が供給され、芳香発生液が含液材１６に含まれる。
【００４４】
なお、上述の底部５４の押圧の際、ジャバラ部５１（底部５４）が外側容器１０の基端部よりも外側に突出しており、かつ、外側容器１０には外側容器１０の基端部に開口する切欠部２４が形成されているため、ジャバラ部５１の底部５４を押圧しやすい。すなわち、操作者は、ジャバラ部５１のうち外側容器１０の基端部から外側に突出している分の長さを容易に圧縮することができるとともに、操作者の指の一部が切欠部２４に入るようにして底部５４を押圧することができるのである。
また、内側容器５０内に大量の芳香発生液が収容された状態においては、必ずしもこの芳香発生装置を下向きにする必要はない。
【００４５】
次に、図９に示すように、蓋部２８を閉状態とする（その際、図４に基づいて前述したように、ジャバラ部５１は圧縮状態とされない）。蓋部２８が閉状態とされることによって、不用意にジャバラ部５１が圧縮状態とされて内側容器５０から芳香発生液が溢れ出ることが防止される。
【００４６】
図４に示すように、以上のようにして含液材１６に含まれた芳香発生液は、徐々に揮発していく。そして、その芳香は、外側容器１０の小径部１１の小孔部１５から外部に溢れ出る。こうして、携帯電話機１００（図１参照）に関連して芳香が発生する。
【００４７】
そして、所定の日数が経つことによって、含液材１６に含まれた芳香発生液はすべて揮発し、芳香が発生しなくなる。
その際は（又はそうなる以前に）、図８に示すように、蓋部２８を開状態とするとともに、この芳香発生装置を前述のように下向きとし、ジャバラ部５１の底部５４を再度押圧する。
こうして、図４に示すように、内側容器５０（ジャバラ部５１）内の芳香発生液が連結部６１から溢れ出て、前述したように含液材１６に対して芳香発生液が供給され、芳香発生液が再度含液材１６に含まれる。
【００４８】
以上を繰り返すことによって内側容器５０内の芳香発生液がすべて使用された後には、再度、内側容器５０を外側容器１０から取り外して、前述したように内側容器５０内に芳香材を再度供給する。
以上を繰り返すことによって、この芳香発生装置では、携帯電話機１００に関連して容易に半永久的に芳香を発生させることができる。
【００４９】
なお、上述のものはあくまで本発明の一実施形態にすぎず、当業者の知識に基づいて種々の変更を加えた態様で本発明を実施できることはもちろんである。
【００５０】
例えば、小径部１１の形状は、有蓋円筒状に限らず、略球状であってもよい。その際は、閉塞部１４は平面状でなく、外方向（先端部の方向）に凸状の曲面状となる。
【００５１】
また、芳香流出孔部（小孔部１５）は、複数形成されていてもよい。芳香流出孔部の大きさ及び個数によって、芳香の流出量が異なってくる。
【００５２】
また、次のような変更が加えられた態様でもよい。
すなわち、外側容器１０において、小径部１１が、その他の部分と別体に形成されている。
そして、内側容器５０が外側容器１０の内側に収容され、内側容器５０の連結部６１が外側容器１０のテーパ部３１（その開口部）の先端部から外側容器１０の外側（先端部の側）に露出した状態で、小径部１１（めねじ１３）が内側容器５０の連結部６１（おねじ６３）に対して螺合され、内側容器５０が外側容器１０に対して連結される。
この態様の場合は、外側容器１０（そのうちの小径部１１以外の部分）から小径部１１が取り外され、内側容器５０が外側容器１０の内部に収容された状態ののまま、吸入用管材７０（その連結部７２のめねじ７３）が内側容器５０の連結部６１（そのおねじ６３）に対して連結され、蓋部２８が開状態とされることによって、前述と同様に、内側容器５０に対して芳香発生液を収容（充填）することができる。
【図面の簡単な説明】
【図１】本発明の一実施形態の携帯電話機用の芳香発生装置が携帯電話機に対して取り付けられた状態を示す斜視図である。
【図２】本発明の一実施形態の携帯電話機用の芳香発生装置を示す分解斜視図である。斜め上方から見た図である。
【図３】本発明の一実施形態の携帯電話機用の芳香発生装置を示す分解斜視図である。斜め下方から見た図である。
【図４】本発明の一実施形態の携帯電話機用の芳香発生装置を示す縦断面図である。
【図５】本発明の一実施形態の携帯電話機用の芳香発生装置の吸入用管材を示す斜視図である。
【図６】本発明の一実施形態の携帯電話機用の芳香発生装置の使用方法を示す図である。
【図７】本発明の一実施形態の携帯電話機用の芳香発生装置の使用方法を示す図である。図６の次の段階を示す。
【図８】本発明の一実施形態の携帯電話機用の芳香発生装置の使用方法を示す図である。図７の次の段階を示す。
【図９】本発明の一実施形態の携帯電話機用の芳香発生装置の使用方法を示す図である。図８の次の段階を示す。
【符号の説明】
１０  外側容器
１２  含液材配設部
１３  めねじ
１４  閉塞部
１５  小孔部（芳香流出孔部）
２４  切欠部
２６  開口部
２８  蓋部
５０  内側容器
５１  ジャバラ部
５４  底部
６１  連結部
６２  流路部
６３  おねじ
７０  吸入用管材
【図１】
2004343478.tif 000003
【図２】
2004343478.tif 000004
【図３】
2004343478.tif 000005
【図４】
2004343478.tif 000006
【図５】
2004343478.tif 000007
【図６】
2004343478.tif 000008
【図７】
2004343478.tif 000009
【図８】
2004343478.tif 000010
【図９】
2004343478.tif 000011